(57)【要約】【課題】電力系統の停電時においても燃料電池を正常に起動できる発電装置を提供する。【解決手段】燃料電池１の補機５の直流負荷が、パワーコンディショナ２のＤＣリンク部９から電力供給を受ける構成を備えた発電装置において、蓄電池４を接続する接続端子２０と、同端子２０への入力電圧を昇圧する昇圧回路部１２とを設け、昇圧回路部１２で昇圧した直流電力をＤＣリンク部９に供給するように構成するとともに、インバータ回路部８の出力側と補機５の交流負荷とを接続する電源線２１を備えさせる。電力系統３の停電時に燃料電池１を起動するときには、蓄電池４を接続端子２０に接続して、ＤＣリンク部９から直流負荷に直流電力を供給するとともに、インバータ回路部から交流電力を補機５の交流負荷に供給する。【選択図】図１
2016046982.tif 000002
【特許請求の範囲】
【請求項１】
燃料電池と、前記燃料電池の補機と、前記燃料電池で発電された電力を電力系統に系統連系させるパワーコンディショナとを備えてなり、
前記補機は、電気負荷として直流負荷と交流負荷とを備え、
前記パワーコンディショナは、前記燃料電池で発電された直流電力の電圧を昇圧するコンバータ回路部と、前記コンバータ回路部で昇圧された直流電力を電力系統に連系可能な交流電力に変換するインバータ回路部と、前記コンバータ回路部と前記インバータ回路部を接続するＤＣリンク部と、前記パワーコンディショナ各部を制御する制御部とを備えた発電装置において、
前記パワーコンディショナは、蓄電池を接続するための接続端子と、前記接続端子から入力される直流電圧を昇圧して前記ＤＣリンク部に直流電力を供給する昇圧回路部と、前記ＤＣリンク部から電力供給されて前記補機の直流負荷に直流電力を供給する直流電源部と、前記昇圧回路部への入力電圧を検出する入力電圧検出手段とを備えるとともに、前記インバータ回路部の出力側と前記補機の交流負荷とを接続する電源線を備え、
前記制御部は、前記入力電圧検出手段で検出される入力電圧を監視し、所定電圧以上の入力電圧が検出されたときには、前記ＤＣリンク部の電圧が、前記インバータ回路部において前記交流負荷の動作電力を出力するのに必要な電圧になるように、前記昇圧回路部の昇圧動作を制御するとともに、前記インバータ回路部を動作させて、前記インバータ回路部から出力される交流電力を前記電源線に供給する制御構成を備えた
ことを特徴とする発電装置。
【請求項２】
前記電源線には、前記電力系統の停電時に、前記燃料電池で発電された電力を出力する端子を備えた自立出力部が接続されていることを特徴とする請求項１に記載の発電装置。
【請求項３】
前記電源線は、前記自立出力部との接続部よりも前記補機の交流負荷側に、前記制御部によって開閉制御可能なスイッチ手段を備えていることを特徴とする請求項２に記載の発電装置。
【請求項４】
前記交流負荷は、交流電力で動作する点火装置であることを特徴とする請求項１から３のいずれかに記載の発電装置。
【発明の詳細な説明】
【技術分野】
【０００１】
この発明は発電装置に関し、より詳細には、燃料電池で発電された直流電力を電力系統に連系可能な交流電力に変換するパワーコンディショナを備えた発電装置に関する。
【背景技術】
【０００２】
この種の発電装置では、燃料電池の補機を動作させる電源として、燃料電池の発電中は該燃料電池で発電された電力を用いているが、燃料電池の起動時には、電力系統から供給される交流電力を用いている（たとえば、特許文献１参照）。
【０００３】
しかし、このような構成では、電力系統の停電時には燃料電池を起動することができないことになるため、最近では、パワーコンディショナに直流電源（バッテリ）接続用の接続端子を設け、この接続端子に接続される直流電源から得た直流電力を補機の駆動電源として用いるように構成したものが提案されている。
【先行技術文献】
【特許文献】
【０００４】
【特許文献１】特開２０１１−９７７２７号公報
【発明の概要】
【発明が解決しようとする課題】
【０００５】
しかしながら、このような従来の発電装置には以下のような問題があり、その改善が望まれていた。
【０００６】
すなわち、燃料電池の補機のなかには交流電力で動作する交流負荷（たとえば、イグナイタ）が含まれている。そのため、バッテリから直流電源を得る構成だけでは、補機の交流負荷を動作させることができず、電力系統の停電時に燃料電池を正常に起動させることができなかった。
【０００７】
本発明は、このような従来の問題点に鑑みてなされたものであって、その目的とするところは、電力系統の停電時においても燃料電池を正常に起動することができる発電装置を提供することにある。
【課題を解決するための手段】
【０００８】
上記目的を達成するため、本発明の請求項１に記載の発電装置は、燃料電池と、上記燃料電池の補機と、上記燃料電池で発電された電力を電力系統に系統連系させるパワーコンディショナとを備えてなり、上記補機は、電気負荷として直流負荷と交流負荷とを備え、上記パワーコンディショナは、上記燃料電池で発電された直流電力の電圧を昇圧するコンバータ回路部と、上記コンバータ回路部で昇圧された直流電力を電力系統に連系可能な交流電力に変換するインバータ回路部と、上記コンバータ回路部と上記インバータ回路部を接続するＤＣリンク部と、上記パワーコンディショナ各部を制御する制御部とを備えた発電装置において、上記パワーコンディショナは、蓄電池を接続するための接続端子と、上記接続端子から入力される直流電圧を昇圧して上記ＤＣリンク部に直流電力を供給する昇圧回路部と、上記ＤＣリンク部から電力供給されて上記補機の直流負荷に直流電力を供給する直流電源部と、上記昇圧回路部への入力電圧を検出する入力電圧検出手段とを備えるとともに、上記インバータ回路部の出力側と上記補機の交流負荷とを接続する電源線を備え、上記制御部は、上記入力電圧検出手段で検出される入力電圧を監視し、所定電圧以上の入力電圧が検出されたときには、上記ＤＣリンク部の電圧が、上記インバータ回路部において上記交流負荷の動作電力を出力するのに必要な電圧になるように、上記昇圧回路部の昇圧動作を制御するとともに、上記インバータ回路部を動作させて、上記インバータ回路部から出力される交流電力を上記電源線に供給する制御構成を備えたことを特徴とする。
【０００９】
請求項１に係る発電装置では、パワーコンディショナの接続端子に蓄電池が接続されると、パワーコンディショナの制御部は、入力電圧検出手段による入力電圧の監視を通じて蓄電池の接続を検出する。そして、蓄電池の接続を検出すると、パワーコンディショナの制御部は、ＤＣリンク部の電圧が所定の電圧（インバータ回路部において交流負荷の動作電力を出力するのに必要な電圧）となるように昇圧回路の昇圧動作を制御するとともに、インバータ回路部を動作させて、インバータ回路部から出力される交流電力を電源線を通じて補機の交流負荷に供給する。これにより、補機の交流負荷に動作用の交流電力が供給される。一方、補機の直流負荷については、直流電源部から直流電力が供給される。このように、請求項１に係る発電装置では、電力系統の停電時であっても、蓄電池を接続することによって、燃料電池の補機の直流負荷と交流負荷に、蓄電池から動作用の電力が供給され、燃料電池が起動可能な状態となる。
【００１０】
本発明の請求項２に記載の発電装置は、請求項１に記載の発電装置において、上記電源線には、上記電力系統の停電時に、上記燃料電池で発電された電力を出力する端子を備えた自立出力部が接続されていることを特徴とする。
【００１１】
請求項２に係る発電装置では、インバータ回路部の出力側と補機の交流負荷とを接続する電源線に自立出力部が接続されるので、電力系統の停電時に、燃料電池で発電された電力を外部の電気負荷に供給することができる。
【００１２】
本発明の請求項３に記載の発電装置は、請求項２に記載の発電装置において、上記電源線は、上記自立出力部との接続部よりも上記補機の交流負荷側に、上記制御部によって開閉制御可能なスイッチ手段を備えていることを特徴とする。
【００１３】
請求項３に係る発電装置では、インバータ回路部の出力側と補機の交流負荷とを接続する電源線において、自立出力部との接続部よりも補機の交流負荷側に、制御部によって開閉制御可能なスイッチ手段が備えられているので、このスイッチ手段を開放状態とすることにより、補機の交流負荷への電力供給を停止することができる。そのため、蓄電池からの電力を自立出力部に供給することができる。
【００１４】
本発明の請求項４に記載の発電装置は、請求項１から３のいずれかに記載の発電装置において、上記交流負荷は、交流電力で動作する点火装置であることを特徴とする。
【発明の効果】
【００１５】
本発明によれば、パワーコンディショナの接続端子に蓄電池を接続することにより、蓄電池から供給される直流電力が昇圧回路部で昇圧されてＤＣリンク部に供給され、ＤＣリンク部から、補機の直流負荷には直流電源部経由で直流電力が、補機の交流負荷にはインバータ回路部経由で交流電力がそれぞれ供給されるので、電力系統が停電しているときでも燃料電池（燃料電池の補機）を正常に起動させることができる。
【００１６】
また、本発明では、インバータ回路部の出力側と補機の交流負荷とを接続する電源線に自立出力部が接続されるので、電力系統の停電時に、自立出力部から外部の電気負荷に交流電力を供給することができる。
【図面の簡単な説明】
【００１７】
【図１】本発明に係る発電装置の概略構成を示す回路ブロック図である。
【図２】同発電装置のパワーコンディショナにおける昇圧回路部と制御基板の概略構成を示す回路ブロック図である。
【発明を実施するための形態】
【００１８】
以下、本発明の実施形態を図面に基づいて説明する。
図１は、本発明に係る発電装置の概略構成を示している。この図１に示す発電装置は、燃料電池１と、燃料電池１で発電された電力を電力系統３に系統連系させるパワーコンディショナ２とを主要部として構成されており、特に、本実施形態に示す発電装置では、電力系統３の停電時に、蓄電池４を用いて燃料電池１を起動できる構成を備えている。
【００１９】
燃料電池１は、周知のとおり、水素（水素リッチガス）と酸素（空気）の電気化学反応によって得られる電気エネルギを直流電力として取り出す発電装置であって、電気化学反応によって発電を行う燃料電池スタック（図示せず）と、燃料電池スタックを動作させるための周辺機器である補機５と、補機５の制御部などを搭載した補機制御基板６とを主要部として構成されている。なお、本実施形態では、燃料電池１として、固体酸化物型燃料電池（ＳＯＦＣ）が用いられるが、固体高分子型燃料電池（ＰＥＦＣ）など他の形式の燃料電池を用いてもよい。
【００２０】
ここで、補機５には、図示しないが、直流電力で動作する直流負荷と、交流電力で動作する交流負荷とが含まれている。具体的には、補機５の直流負荷としては、たとえば、燃料電池スタックに供給する空気を昇圧する空気ブロワ、燃料改質器に供給する原燃料（都市ガスやＬＰガスなど）を昇圧する燃料昇圧ブロワ、燃料改質器に改質用水蒸気生成用の水を供給する改質水ポンプ、燃料電池スタックに冷却水を供給する冷却水ポンプなどが含まれており、これらの直流負荷は、たとえば、ＤＣ２４Ｖで動作するように構成されている。また、補機５の交流負荷としては、燃料電池スタックから排出される排ガス（オフガス）を燃焼させる燃焼器の点火装置（たとえば、イグナイタ）が含まれており、この点火装置は、たとえば、ＡＣ１００Ｖで動作するように構成されている。
【００２１】
補機制御基板６は、補機５の動作制御を行う補機制御部（図示せず）を備えた電装基板で構成されている。補機制御基板６に搭載される補機制御部は、制御中枢としてマイコンを備えており、このマイコンがパワーコンディショナ２の制御部１５（図２参照）と通信可能に構成され、制御部１５と通信を行いながら補機５の動作を制御するように構成されている。
【００２２】
パワーコンディショナ２は、燃料電池１で発電された直流電力を電力系統３に連系可能な交流電力（たとえば、単相３線式ＡＣ１００Ｖ/２００Ｖ）に変換する電力変換装置であって、コンバータ回路部７と、インバータ回路部８と、ＤＣリンク部９と、系統連系スイッチ１０と、整流回路部１１と、昇圧回路部１２と、制御基板１３と、自立出力部１４とを主要部として備えている。
【００２３】
具体的には、コンバータ回路部７は、燃料電池１で発電された直流電力の電圧を昇圧するＤＣ／ＤＣコンバータ回路（図示せず）を備えている。また、インバータ回路部８は、コンバータ回路部７で昇圧された直流電力を電力系統３に連系可能な交流電力に変換するＤＣ／ＡＣインバータ回路（図示せず）を備えている。そして、コンバータ回路部７とインバータ回路部８との間には、ＤＣリンク用のコンデンサが並列に接続されており、このコンデンサによって、コンバータ回路部７とインバータ回路部８とを接続するＤＣリンク部９が形成されている。なお、コンバータ回路部７およびインバータ回路部８の出力電圧は、いずれも制御部１５によって制御される。
【００２４】
系統連系スイッチ１０は、パワーコンディショナ２と電力系統３の連系／解列の切り替えを行うスイッチ回路で構成されている。本実施形態では、この系統連系スイッチ１０は、電力系統３との連系／解列の切り替えと併せて、電力系統３と整流回路部１１との接続／切断の切り替えを行うように構成されている。具体的には、系統連系スイッチ１０は、接点中立を含む２接点式スイッチで構成されており、パワーコンディショナ２を電力系統３に連系させるときは、スイッチ接点をインバータ回路部８の出力側に接続し、パワーコンディショナ２を電力系統３から解列させるときは、スイッチ接点を整流回路部１１側に接続するようになっている。なお、この系統連系スイッチ１０の接点は制御部１５によって制御可能とされている。
【００２５】
整流回路部１１は、電力系統３から供給される交流電力を直流電力に変換してＤＣリンク部９に供給するための整流回路であって、本実施形態では、ダイオードブリッジ回路で構成されている。
【００２６】
昇圧回路部１２は、図２に示すように、蓄電池４から供給される直流電力の電圧を昇圧してＤＣリンク部９に供給する昇圧回路（ＤＣ／ＤＣコンバータ回路）１７を備えて構成されている。具体的には、この昇圧回路部１２には、蓄電池４を着脱自在に接続するための接続端子２０が備えられており、この接続端子２０を介して蓄電池４から供給される直流電圧が昇圧回路１７に入力されるようになっている。そして、接続端子２０と昇圧回路１７との間には、昇圧回路部１２（昇圧回路１７）への入力電圧を検出する入力電圧センサ（入力電圧検出手段）１８が備えられており、この入力電圧センサ１８の検出結果が信号線１９を介して制御部１５に入力されるようになっている。
【００２７】
制御基板１３は、図２に示すように、パワーコンディショナ２の各部の動作を制御する制御部１５と、補機制御基板６に対して直流電力を供給する直流電源部１６とを備えた電装基板で構成されている。制御部１５は、制御中枢としてマイコン（図示せず）を備えた制御装置であって、パワーコンディショナ２の各部の制御を行うとともに、補機制御部と通信可能に構成されて、補機制御部を介して補機５の制御が行えるようになっている。なお、本実施形態では、制御部１５は、信号線１９から入力される入力電圧センサ１８の検出結果（すなわち、昇圧回路部１２への入力電圧）を監視するように構成されている（詳細は後述する）。
【００２８】
直流電源部１６は、入力側がＤＣリンク部９と接続され、出力側が補機制御基板６と接続されたＤＣ／ＤＣコンバータで構成されており、ＤＣリンク部９から得た直流電力を補機５の直流負荷に供給可能な電圧に変換して、補機制御基板６に供給するように構成されている。すなわち、本実施形態では、補機５の直流負荷はＤＣ２４Ｖで動作することから、直流電源部１６はＤＣ２４Ｖを生成して補機制御基板６に供給するように構成されている。また、この直流電源部１６は、補機５の直流負荷用の電源の他、制御部１５などパワーコンディショナ２の直流負荷の動作用電源として、ＤＣ１５Ｖの直流出力も行うように構成されている。
【００２９】
自立出力部１４は、燃料電池１の自立発電時などに外部の電気機器（図示せず）に交流電力を供給するための端子（自立コンセント）を備えて構成されている。具体的には、この自立出力部１４は、図１に示すように、一端がインバータ回路部８の出力側（具体的には、インバータ回路部８の出力側と系統連系スイッチ１０との間）に接続され、他端が補機５（具体的には、補機５の交流負荷）に接続された電源線２１に接続されている。
【００３０】
より詳細には、自立出力部１４は、１または複数のコンセントを備えており、電源線２１から分岐された分岐配線２４に自立スイッチ２２を介して各コンセントが接続されている。自立スイッチ２２は、自立出力部１４に対する交流電力の供給／遮断の切り替えを行うためのスイッチであり、制御部１５によってその接点の開放／短絡の制御（開閉制御）ができるようになっている。なお、この自立スイッチ２２の接点は、パワーコンディショナ２が通常動作を行っているときには開放状態とされている。
【００３１】
また、電源線２１に関して、本実施形態では、電源線２１と分岐配線２４（自立出力部１４）の接続部から補機５の交流負荷側に、制御部１５によって開閉制御可能な開閉スイッチ（スイッチ手段）２３が備えられている。この開閉スイッチ２３は、後述する燃料電池１の起動時に使用するもので、補機５の交流負荷に電力を供給するとき以外は、その接点は開放状態とされている。
【００３２】
電力系統３は、単相３線式ＡＣ１００／２００Ｖの商用電源で構成されている。また、蓄電池４は、直流電力の出力が可能な可搬型の二次電池で構成されており、たとえば、車両用の鉛蓄電池などが蓄電池４として好適に使用される。
【００３３】
次に、このように構成された発電装置の動作について説明する。
Ａ：通常動作（燃料電池の起動）
電力系統３が正常の（停電していない）状態で燃料電池１を起動する場合、系統連系スイッチ１０を整流回路部１１側に接続する。これにより、電力系統３から供給される交流電力が整流回路部１１に供給され、整流回路部１１において全波整流された直流電力がＤＣリンク部９に供給される。
【００３４】
ＤＣリンク部９に直流電力が供給されると、その直流電力はＤＣリンク部９と接続された制御基板１３の直流電源部１６にも供給される。直流電源部１６では、ＤＣリンク部９から供給された直流電力から補機５の直流負荷を動作させる直流電圧（本実施形態ではＤＣ２４Ｖ）を生成して、補機制御基板６を介して、補機５の直流負荷に供給する。なお、このとき補機５の交流負荷に対しては、図示しない電源線を介して電力系統３からＡＣ１００Ｖの交流電力が供給される。また、電源線２１の開閉スイッチ２３および分岐配線２４の自立スイッチ２２の接点は、いずれも開放状態とされている。
【００３５】
このようにして、補機５の直流負荷および交流負荷に動作用の電力が供給されると、補機制御基板６の補機制御部が補機５を動作させて、燃料電池１での発電を開始させる。
【００３６】
Ｂ：通常動作（燃料電池の発電運転）
燃料電池１が起動すると、制御部１５は、パワーコンディショナ３を通常動作（コンバータ回路部７およびインバータ回路部８を動作させるとともに、系統連系スイッチ１０の接点をインバータ回路部８側に接続し、インバータ回路部８から出力される交流電力を電力系統３に連系）させる。このとき、制御部１５は、コンバータ回路部７への入力電圧と入力電流およびインバータ回路部８の出力電圧と出力電流を監視して、インバータ回路部８から電力系統３に連系可能な交流電力（単相交流２００Ｖ）が出力されるように、コンバータ回路部７およびインバータ回路部８の動作を制御する。なお、このとき開閉スイッチ２３および自立スイッチ２２の接点は、いずれも開放状態を維持している。
【００３７】
Ｃ：電力系統停電時（自立発電運転）
本実施形態に示す発電装置は、電力系統３の停電時においても燃料電池１が発電を継続する自立発電機能を備えている。パワーコンディショナ２の制御部１５は、電力系統３の停電を検知すると、パワーコンディショナ２を電力系統３から解列する。また、制御部１５は、インバータ回路部８の出力電圧がＡＣ１００Ｖとなるようにコンバータ回路部７およびインバータ回路部８を制御し、自立スイッチ２２の接点を短絡させる。これにより、インバータ回路部８から出力される交流電力（ＡＣ１００Ｖ）が自立出力部１４に供給され、自立出力部１４においてＡＣ１００Ｖで動作する電気負荷が使用できるようになる。
【００３８】
Ｄ：電力系統停電時（燃料電池の起動）
電力系統３が停電している状態で燃料電池１を起動する場合、本実施形態の発電装置では、蓄電池４を昇圧回路部１２の接続端子２０に接続する。これにより、蓄電池４から直流電力が昇圧回路部１２の昇圧回路１７に供給される。
【００３９】
そして、昇圧回路部１２に蓄電池４が接続されると、入力電圧センサ１８が蓄電池４からの入力電圧を検出し、その結果が制御部１５に入力される。制御部１５は、入力電圧センサ１８で所定電圧以上の入力電圧が検出されると、ＤＣリンク部９の電圧が、インバータ回路部８が補機５の交流負荷の動作電力を出力するのに必要な電圧になるように、昇圧回路部１２の昇圧動作を制御する。すなわち、制御部１５は、昇圧回路部１２の昇圧動作制御を通じてＤＣリンク部９の電圧を制御し、インバータ回路部８からＡＣ１００Ｖの交流電力が出力されるようにＤＣリンク部９の電圧を調整する。
【００４０】
そして、インバータ回路部８がＡＣ１００Ｖの交流電力を出力できるようになると、制御部１５は、開閉スイッチ２３の接点を短絡させて、補機５の交流負荷に対して交流電力の供給を開始する。なお、このときインバータ回路部８は出力電圧がＡＣ１００Ｖとなるように制御される。すなわち、インバータ回路部８は、通常動作時にはＡＣ２００Ｖを出力するように制御されるが、電力系統３の停電時に動作する際には、補機５の交流負荷の動作電圧に合わせて、通常動作時よりも低い出力電圧に制御される。また、このとき自立スイッチ２２の接点は、開放状態を維持する。
【００４１】
また、このとき直流電源部１６には、ＤＣリンク部９から直流電力が供給されるので、直流電源部１６はこの直流電力から補機５の直流負荷を動作させる直流電圧（ＤＣ２４Ｖ）を生成して、補機制御基板６を介して補機５の直流負荷に供給する。
【００４２】
このようにして、補機５の直流負荷および交流負荷に動作電力が供給されると、制御部１５は、補機制御部を通じて補機５を動作させて、燃料電池１を起動させる。なお、燃料電池１が起動した後は、蓄電池５を必要とせずに燃料電池１の発電を継続させることができるので、燃料電池１の起動後に蓄電池４は取り外される。
【００４３】
そして、燃料電池１が発電を開始すると、制御部１５は、開閉スイッチ２３の接点を開放状態として補機５の交流負荷への電力供給を停止させるとともに、自立スイッチ２２を短絡状態として自立出力部１４から交流電力の出力を行う（自立発電運転）。なお、ここで開閉スイッチ２３を開放状態とするのは、補機５の交流負荷である点火装置は、燃料電池１の起動時に燃焼器の点火を行えば、その後は燃焼器での燃焼が継続し、再点火の必要はないからである。
【００４４】
このように、本発明に係る発電装置によれば、電力系統３が停電している状態であっても、パワーコンディショナ２の接続端子２０に蓄電池４を接続することにより、蓄電池４から供給される直流電力を用いて、補機５の直流負荷および交流負荷の双方に動作電力が供給されるので、電力系統３が停電しているときでも燃料電池１を正常に起動することができる。
【００４５】
Ｅ：電力系統停電時（自立発電を行わずに自立出力部を利用する場合）
本実施形態に示す発電装置は、電力系統３の停電時に、蓄電池４を用いて燃料電池１の起動が行える構成を備えることから、その構成を利用して、燃料電池１を起動することなく、自立出力部１４から交流電力を出力させることができる。
【００４６】
すなわち、この場合、制御部１５は、蓄電池４が接続されたことを入力電圧センサ１８からの入力電圧によって検出すると、ＤＣリンク部９の電圧が、インバータ回路部８がＡＣ１００Ｖを出力するのに必要な電圧になるように、昇圧回路部１２の昇圧動作を制御する。
【００４７】
そして、インバータ回路部８がＡＣ１００Ｖの交流電力を出力できるようになると、制御部１５は、開閉スイッチ２３の接点を短絡させずに（つまり、開放状態を維持して）、自立スイッチ２２の接点を短絡させる。また、この制御と併せて、制御部１５は、インバータ回路部８の出力電圧がＡＣ１００Ｖとなるようにインバータ回路部８を制御する。すなわち、この場合も、制御部１５は、インバータ回路部８の出力電圧が自立出力部１４で取り出す電圧となるように、通常動作時よりも低い出力電圧に制御する。
【００４８】
これにより、インバータ回路部８から出力されるＡＣ１００Ｖの交流電力が自立出力部１４に供給されるようになり、燃料電池１を起動することなく、自立出力部１４を利用する、つまり、外部の電気機器の使用が可能となる。
【００４９】
このように、本発明に係る発電装置によれば、電力系統３が停電しているときに、燃料電池１を起動することなく、自立出力部１４から交流電力を取り出すこともできる。
【００５０】
なお、上述した実施形態は本発明の好適な実施態様を示すものであって、本発明はこれに限定されることなく発明の範囲内で種々の設計変更が可能である。
【００５１】
たとえば、上述した実施形態では、電源線２１に開閉スイッチ２３を備える構成を示したが、開閉スイッチ２３は省略することもできる。すなわち、蓄電池４の着脱によって電源線２１への交流電力の供給／停止を切り替えるように構成することも可能である。
【００５２】
また、上述した実施形態では、本発明に係る発電装置を発電単独で用いる場合を示したが、燃料電池１で発生する排熱を利用して温水を生成するコージェネレーションシステムに本発明を適用することも可能である。
【符号の説明】
【００５３】
１              燃料電池
２              パワーコンディショナ
３              電力系統
４              蓄電池
５              燃料電池の補機
７              コンバータ回路部
８              インバータ回路部
９              ＤＣリンク部
１０            系統連系スイッチ
１２            昇圧回路部
１３            制御基板
１４            自立出力部
１５            制御部
１６            直流電源部
１８            入力電圧センサ（入力電圧検出手段）
２０            接続端子
２２            自立スイッチ
２３            開閉スイッチ（スイッチ手段）
【図１】
2016046982.tif 000003
【図２】
2016046982.tif 000004